(57)【要約】【課題】アクセス集約するレイヤ２スイッチにおいて呼の優先度を識別する。【解決手段】  受信フレームのＶＬＡＮタグの終端処理を行ってＶＬＡＮタグ内のＣＯＳ値のSpare領域の情報を抽出し、受信フレーム（受信フロー）に新たに付した装置内ヘッダ３１１を用いてＣＯＳ値のSpare領域の情報を後段のフロー検索部３２へ転送するレイヤ２終端部３１と、装置内ヘッダ３１１のＣＯＳ値のSpare領域の情報に基づいて、音声よりも優先されるべき呼の識別を行い、優先されるべき呼に対して優先的に帯域を確保して呼接続を行うＱｏＳ部３４とを有し、ＱｏＳ部３４は、フィルタ部３３から受け取った受信フローに関し、緊急呼を優先的に処理し、一般呼やデータに対してレートリミットによる帯域制御を行う。【選択図】図２
2007274467.tif 000002
【特許請求の範囲】
【請求項１】
ネットワークのエッジに位置し、前記ネットワーク上を伝送されるデータのスイッチングを行うネットワーク中継装置において、
VLANタグのスペア領域に付加された当該データの優先度を識別する優先度情報に基づいて、受信した前記データの優先度を識別し、識別した優先度に従って前記データを送信する帯域を制御する中継制御手段を備えることを特徴とするネットワーク中継装置。
【請求項２】
前記VLANタグのデータ識別情報によって判別される前記データの種類に応じて前記優先度を付加することを特徴とする請求項１に記載のネットワーク中継装置。
【請求項３】
受信したデータの前記VLANタグの前記データ識別情報及び前記優先度情報を前記データのヘッダにマッピングする手段を備え、
前記中継制御手段は、前記データのヘッダの前記優先度情報から前記データの優先度を識別することを特徴とする請求項２に記載のネットワーク中継装置。
【請求項４】
前記中継制御手段は、前記データ識別情報によって、前記データが音声または画像データであることを判別し、前記優先度情報に基づいて送信する帯域を制御することを特徴とする請求項２又は請求項３に記載のネットワーク中継装置。
【請求項５】
音声データである前記データについて、前記優先度情報として緊急呼であることを示す情報を付加され、
前記中継制御手段は、前記緊急呼であることを示す優先度情報を識別することにより、緊急呼用の帯域を優先的に確保することを特徴とする請求項１から請求項４の何れか１項に記載のネットワーク中継装置。
【請求項６】
ＩＰ電話の音声データを中継するレイヤレベル２の中継装置であるとことを特徴とする請求項１から請求項５の何れか１項に記載のネットワーク中継装置。
【請求項７】
ネットワークのエッジに位置し、前記ネットワーク上を伝送されるデータのスイッチングを行うネットワーク中継装置のデータ中継方法であって、
VLANタグのスペア領域に付加された当該データの優先度を識別する優先度情報に基づいて、受信した前記データの優先度を識別するステップと、
識別した優先度に従って前記データを送信する帯域を制御する中継ステップとを有することを特徴とするデータ中継方法。
【請求項８】
前記VLANタグのデータ識別情報によって判別される前記データの種類に応じて前記優先度が付加されることを特徴とする請求項７に記載のデータ中継方法。
【請求項９】
受信したデータの前記VLANタグの前記データ識別情報及び前記優先度情報を前記データのヘッダにマッピングするステップを含み、
前記データのヘッダの前記優先度情報から前記データの優先度を識別することを特徴とする請求項８に記載のデータ中継方法。
【請求項１０】
前記データ識別情報によって、前記データが音声または画像データであることを判別し、前記優先度情報に基づいて送信する帯域を制御することを特徴とする請求項８又は請求項９に記載のデータ中継方法。
【請求項１１】
音声データである前記データについて、前記優先度情報として緊急呼であることを示す情報が付加され、
前記緊急呼であることを示す優先度情報を識別することにより、緊急呼用の帯域を優先的に確保することを特徴とする請求項６から請求項９に記載のデータ中継方法。
【請求項１２】
ネットワークのエッジに位置し、前記ネットワーク上を伝送されるデータのスイッチングを行うネットワーク中継装置を配置したネットワークシステムにおいて、
前記ネットワーク中継装置が、
VLANタグのスペア領域に付加された当該データの優先度を識別する優先度情報に基づいて、受信した前記データの優先度を識別し、識別した優先度に従って前記データを送信する帯域を制御することを特徴とするネットワークシステム。
【請求項１３】
前記VLANタグのデータ識別情報によって判別される前記データの種類に応じて前記優先度が付加されることを特徴とする請求項１２に記載のネットワークシステム。
【請求項１４】
前記ネットワーク中継装置が、
受信したデータの前記VLANタグの前記データ識別情報及び前記優先度情報を前記データのヘッダにマッピングし、
前記データのヘッダの前記優先度情報から前記データの優先度を識別することを特徴とする請求項１３に記載のネットワークシステム。
【請求項１５】
前記ネットワーク中継装置が、前記データ識別情報によって、前記データが音声または画像データであることを判別し、前記優先度情報に基づいて送信する帯域を制御することを特徴とする請求項１３又は請求項１４に記載のネットワークシステム。
【請求項１６】
音声データである前記データについて、前記優先度情報として緊急呼であることを示す情報が付加され、
前記ネットワーク中継装置が、前記緊急呼であることを示す優先度情報を識別することにより、緊急呼用の帯域を優先的に確保することを特徴とする請求項１２から請求項１５に記載のネットワークシステム。
【請求項１７】
ネットワークのエッジに位置し、前記ネットワーク上を伝送されるデータのスイッチングを行うネットワーク中継装置を実現するコンピュータ上で実行されるデータ中継プログラムであって、
前記コンピュータに、
VLANタグのスペア領域に付加された当該データの優先度を識別する優先度情報に基づいて、受信した前記データの優先度を識別する処理と、
識別した優先度に従って前記データを送信する帯域を制御する処理を実行させることを特徴とするデータ中継プログラム。
【請求項１８】
前記VLANタグのデータ識別情報によって判別される前記データの種類に応じて前記優先度が付加されることを特徴とする請求項１７に記載のデータ中継プログラム。
【請求項１９】
受信したデータの前記VLANタグの前記データ識別情報及び前記優先度情報を前記データのヘッダにマッピングする処理と、
前記データのヘッダの前記優先度情報から前記データの優先度を識別する処理を実行することを特徴とする請求項１８に記載のデータ中継プログラム。
【請求項２０】
前記データ識別情報によって、前記データが音声または画像データであることを判別し、前記優先度情報に基づいて送信する帯域を制御する処理を実行することを特徴とする請求項１８又は請求項１９に記載のデータ中継プログラム。
【請求項２１】
音声データである前記データについて、前記優先度情報として緊急呼であることを示す情報が付加され、
前記緊急呼であることを示す優先度情報を識別することにより、緊急呼用の帯域を優先的に確保する処理を実行することを特徴とする請求項１７から請求項２０に記載のデータ中継プログラム。
【発明の詳細な説明】
【技術分野】
【０００１】
本発明は、ネットワークのエッジに位置し、ネットワーク上を伝送されるデータのスイッチングを行うネットワーク中継装置、ネットワークシステム、ネットワーク中継装置のデータ中継方法及びデータ中継プログラムに関する。
【背景技術】
【０００２】
従来のネットワークのエッジに位置し、ネットワーク上を伝送されるデータのスイッチングを行うネットワーク中継装置（アクセス集約スイッチ）においては、データに含まれるＣＯＳ(Class Of Service)値により緊急呼の識別ができないため、アプリケーションレイヤの処理を行い緊急呼の識別を行うノードまでの間で、緊急呼が一般音声とベストエフォートで扱われてしまう。
【０００３】
緊急呼の優先的な接続や、緊急呼の音声データの優先制御ができないため、仮に一般呼の使用帯域が占有されている場合、緊急呼を識別できるノードに到達する前に、緊急呼が廃棄されてしまうことになる。
【特許文献１】特開２００４−２８９４４９号公報
【発明の開示】
【発明が解決しようとする課題】
【０００４】
上述したように、従来のネットワーク中継装置では、ＶＬＡＮ(Virtual
Local Area Network)タグのＣＯＳ(Class Of Service)フィールドによる音声識別を行っている。しかるに、ＩＰ電話トラフィックを扱うレイヤ２スイッチでは、音声を識別した上で緊急呼を識別する必要があるが、従来のアクセス集約スイッチでは音声信号かどうかの識別しかできない。緊急呼であっても音声信号としてのみ扱われるため、一般の呼で帯域を占有し、緊急呼の接続ができないという問題が生じる。
【０００５】
なお、従来の特開２００４−２８９４４９号公報（特許文献１）には、パケット内に設定されている多様な情報を用いてより細分化された条件で優先レベルを振り分けると共に、リアルタイム性が要求されるようなパケットであってもサービス品質を遵守したパケット中継を実現するパケット中継装置が開示されている。しかし、この特許文献１に開示されるパケット中継装置では、レイヤレベル３以上におけるパケット中継を制御するものであり、ＩＰ電話トラフィックを扱うレイヤレベル２の中継装置が有する上述した問題点を解消するものではない。
【０００６】
（目的）
本発明の目的は、アクセス集約するレイヤ２スイッチにおいてレイヤレベル２で緊急呼を識別する手段を提供することにある。
【課題を解決するための手段】
【０００７】
本発明のネットワーク中継装置は、ネットワークのエッジに位置し、前記ネットワーク上を伝送されるデータのスイッチングを行うネットワーク中継装置において、ＶＬＡＮタグのスペア領域に付加された当該データの優先度を識別する優先度情報に基づいて、受信した前記データの優先度を識別し、識別した優先度に従って前記データを送信する帯域を制御する中継制御手段を備えることを特徴とする。
【０００８】
すなわち、受信したレイヤ２フレームのＶＬＡＮタグにおけるＣＯＳ値に基づいて、装置内で定義するローカルヘッダ(装置内ヘッダ)にＣＯＳ値のマッピングを行い、装置内ヘッダに従い、ＳＢＣ(Session Border Controller)機能部が受信したフレームの優先制御を行う。
【０００９】
具体的なＣＯＳ値の定義として、例えば、緊急呼の場合にはＣＯＳ値フィールドの予備領域であるSpare領域のフラグを用いて装置内の優先制御処理を行う。
【００１０】
なお、ＳＢＣ機能部で受信する際には、すでにＣＯＳ値フィールドのSpareフラグの定義が用いられているものとする。また、これらの処理を呼毎に行うことを可能とするため、ＳＢＣ機能部を備える構成とした。
【００１１】
（作用）
受信したデータのうち優先度の高いデータを優先的に送信する。
【発明の効果】
【００１２】
本発明によれば、ＶＬＡＮタグのスペア領域に付加されたデータの優先度を識別する優先度情報に基づいて、受信したデータの優先度を識別し、識別した優先度に従ってデータを送信する帯域を制御する中継制御手段を備えるので、受信したデータのうち優先度の高いデータを優先的に送信することができる。従って、一般の呼で帯域が占有されることを防止して、緊急呼の接続を優先的に行うことができるため、緊急呼が廃棄される可能性が減少する。
【発明を実施するための最良の形態】
【００１３】
本実施の形態は、ネットワークのエッジに位置しアクセスの集約を行うレイヤ２スイッチにおいて、ＩＰ電話トラフィックの音声信号の緊急呼を識別してＴＯＳ(Type Of Service)フィールド等へマーキングし、緊急呼の帯域を優先的に確保することによって、最適な宛先へ接続することを可能とするものである。
【００１４】
（第１の実施の形態）
図１〜図７を用いて本発明による第１の実施の形態を詳細に説明する。
【００１５】
（第１の実施の形態の構成）
図１は、本実施の形態によるレイヤ２スイッチの構成を示すブロック図である。
【００１６】
図１を参照すると、本実施の形態によるレイヤ２スイッチ１０は、ネットワークのエッジに位置してアクセスの集約を行うものであり、音声セッションを管理しファイアウォール機能を持つＳＢＣ(Session Border Controller)機能部３０を備え回線５０を介してフレームを受信及び送信するライン部２０と、ライン部２０から受信したフレームをスイッチングしてライン部２０に送信するスイッチ部４０とを有する。
【００１７】
図２は、本実施の形態によるレイヤ２スイッチのＳＢＣ機能部の構成を示すブロック図である。
【００１８】
図２を参照すると、本実施の形態によるＳＢＣ機能部３０は、レイヤ２終端部３１と、フロー検索部３２と、セッション登録部３３と、ＱｏＳ（Quality of
Service）部３４と、ルーティン部３５と、フローテーブル３６と、フィルタ情報テーブル３７と、フォワーディングテーブル３８と、レイヤ２生成部３９とを有する。
【００１９】
レイヤ２終端部３１は、受信フレームのＶＬＡＮ(Virtual
Local Area Network)タグの終端処理を行ってＶＬＡＮタグ内のＣＯＳ(Class Of Service)値のSpare領域の情報（優先度情報）を抽出し、受信フローに新たに付した装置内ヘッダ（ローカルヘッダ）３１１にＣＯＳ値のSpare領域の情報をマッピングして後段のフロー検索部３２等へ転送する機能を有する。
【００２０】
図３は、本実施の形態によるＶＬＡＮタグの構成を説明する図である。
【００２１】
図３に示すように、ＶＬＡＮタグのＣＯＳ(Class Of
Service)値フィールドで緊急呼を識別できる方法として、スペアの領域として定義されているＳｐａｒｅ領域「０１０」を、例えば、緊急呼の場合にはフラグが立てられるようにすることによって緊急呼の定義とすることで、音声データに対する緊急呼の定義に読み替えることもできる。
【００２２】
本実施の形態において、ＶＬＡＮタグのスペアの領域として定義されているＳｐａｒｅ領域「０１０」は、緊急呼の識別用に使用するという前提条件があり、本実施の形態によるレイヤ２スイッチが回線５０を介して緊急呼を受け取る際には既にＳｐａｒｅ領域「０１０」にフラグが立てられていることとなる。
【００２３】
このため、本実施の形態では、ＶＬＡＮタグにより緊急呼を識別できるので、従来技術で示されているよりも下位レベルレイヤであるレイヤ２スイッチでアプリケーションデータの高速処理ができるという効果が得られる。
また、図４に本実施の形態による装置内ヘッダの構成例を示す。
なお、装置内ヘッダ３１１は、回線５０への出力する処理を行うレイヤ２生成部３９で削除されてレイヤ２ヘッダに付け替えられるまで、レイヤ２スイッチ１０内で転送される。
【００２４】
フロー検索部３２は、ＣＯＳ値のSpare領域の情報を含む、インタフェース情報、宛先／送信元ＩＰアドレス、宛先／送信元ポート番号等、受信フローを識別するフロー識別情報に基づいてフローテーブル３６を検索し、受信フローについてのユーザの通信セッションを識別する機能を有する。
【００２５】
フローテーブル３６では、受信フローを識別するフロー識別情報に基づいて受信フローが管理されており、フロー識別情報がフローテーブル３６に存在しない受信フローは、該当する通信セッションが存在せず（該当する通信セッションが管理されておらず）新規呼接続要求であるとフロー検索部３２によって判断される。
【００２６】
また、フロー検索部３２は、セッション登録部３２１を有する。
【００２７】
セッション登録部３２１は、フロー検索部３２によるフローテーブル３６の検索によって受信フローが新規呼であると判断された場合に、当該受信フローの通信セッションを識別する通信セッション情報をフローテーブル３６に登録する。
【００２８】
フィルタ部３３は、通信セッションが確立されてから切断までの間、フローテーブル３６で保持される通信セッション情報に基づいて、通信セッション毎にフィルタ情報テーブル３７を検索して受信フローのフィルタリングを行うファイアウォール機能を有する。
【００２９】
フィルタ情報テーブル３７は、受信したパケットを通過させるか廃棄するかをフィルタ部３３が判断するためのフィルタポリシを有する。
【００３０】
ＱｏＳ（Quality of Service）部３４は、装置内ヘッダ３１１マッピングされたＣＯＳ値のSpare領域の情報に基づいて、音声よりも優先されるべき呼の識別を行い、優先されるべき呼に対して優先的に帯域を確保して呼接続を行うための機能を有する。
【００３１】
すなわち、ＱｏＳ部３４は、フィルタ部３３から受け取った受信フローに関し、緊急呼を優先的に処理し、一般呼やデータに対してレートリミットによる帯域制御を行うことができる。
【００３２】
また、ＱｏＳ部３４は、装置内ヘッダ（ローカルヘッダ）３１１にマッピングされたＣＯＳ値のSpare領域の情報を、後続のスイッチ部４０でスイッチングする際に用いられる優先度情報として、フィルタ部３３から受け取った受信フローにおけるＩＰヘッダのＴＯＳ(Type
Of Service)フィールドやＤｉｆｆＳｅｒｖ（Differentiated Services）フィールド(Ipv4)又は、Ｔｒａｆｆｉｃ  Ｃｌａｓｓフィールド(Ipv6)にマッピングし、後続のルーティング部３５に当該受信フローを送る機能を有する。
【００３３】
また、ＱｏＳ部３４は、スイッチ部４０から受信したパケットを後続のレイヤ２生成部２９に送る機能を有する。
【００３４】
ルーティング部３５は、ＱｏＳ部３４から受信したパケットについて、フォワーディングテーブル３８を検索し、輻輳を回避できる適切な経路で宛先を解決し、スイッチ部４０がスイッチングにより適切な出力側のライン部２０にパケットを転送できるように、当該パケットに当該適切な経路を示す情報を付して（ＩＰフォワード処理）、スイッチ部４０に送る機能を有する。
【００３５】
レイヤ２生成部３９は、ＱｏＳ部３４から受け取ったパケットについて、装置内ヘッダ３１１を削除すると共に、ＣＯＳ値を元に戻し、レイヤ２フレームを生成して付与し、回線５０を介して出力する機能を有する。
【００３６】
ここで、ＳＢＣ機能部３０は、ライン部２０が受信するフレームを識別し、ＳＩＰ(Session Initiate Protocol)メッセージのＳＩＰ−ＵＲＩ(Uniform Resource Indicator
)を参照することなく、レイヤレベル２でのヘッダ処理において受信したパケットが緊急呼であるか否かを識別するため、レイヤレベル３の下位レイヤであるレイヤレベル２において、緊急呼の優先制御を行うことができる。
【００３７】
上記構成によって、アクセス集約を行うレイヤ２スイッチ１０は、アプリケーションレイヤを参照することなく、セッション単位に緊急度の高い呼を優先的に処理することができる。
【００３８】
ここで、スイッチ部４０のハードウェア構成の説明をする。
【００３９】
図５は、本実施の形態によるスイッチ部４０のハードウェア構成を示すブロック図である。
【００４０】
図５を参照すると、本発明によるスイッチ部４０は、一般的なコンピュータ処理装置と同様のハードウェア構成によって実現することができ、ＣＰＵ（Ｃｅｎｔｒａｌ  Ｐｒｏｃｅｓｓｉｎｇ  Ｕｎｉｔ）６０１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部６０２、ネットワークを介してデータの送受信を行う通信制御部６０３、液晶ディスプレイやスピーカ等の提示部６０４、キーボードやマウス等の入力部６０５、周辺機器と接続してデータの送受信を行うインタフェース部６０６、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部６０７、本情報処理装置の上記各構成要素を相互に接続するシステムバス６０８等を備えている。
【００４１】
本発明によるスイッチ部４０は、その動作を、スイッチ部４０内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、コンピュータ処理装置上のＣＰＵ６０１で実行することにより、ソフトウェア的に実現することができる。
【００４２】
すなわち、ＣＰＵ６０１は、補助記憶部６０７に格納されているプログラムを、主記憶部６０２にロードして実行し、スイッチ部４０の動作を制御することにより、上述した各機能をソフトウェア的に実現する。
【００４３】
（第１の実施の形態の動作）
次に、図６及び図７を用いて本実施の形態によるレイヤ２スイッチのＳＢＣ機能部の動作を説明する。
【００４４】
図６は、本実施の形態によるレイヤ２スイッチのＳＢＣ機能部が緊急呼を識別する際の動作を示すフローチャートである。
【００４５】
まず、レイヤ２終端部３１は、回線５０からフレームを受信すると、当該フレームを受信した物理ポート番号、当該フレームのＶＬＡＮタグのＶＬＡＮ−ＩＤ（IDentifier）等をチェックし、当該フレームのレイヤ２ヘッダの終端処理を行うと共に、装置内ヘッダ３１１の各フィールドを定義して、当該フレームのＶＬＡＮタグから抽出したＣＯＳ値をマッピングし、当該ＣＯＳ値のSpare領域の情報を通知するために、装置内ヘッダ３１１を付したパケットを次段のフロー検索部３２に送る(ステップＳ１０１)。
【００４６】
次いで、フロー検索部３２は、受信フローについて、ユーザの通信セッションが管理されているかどうかチェックする(ステップＳ１０２)。
【００４７】
すなわち、フロー検索部３２は、ステップＳ１０２において、フロー識別情報に基づいてフローテーブル３６を検索し、当該通信セッションが管理されていない場合（該当する通信セッションが存在しない場合）は新規呼接続要求であると判断する。
【００４８】
この場合、フィルタ部３３は、フィルタ情報テーブル３７のフィルタポリシをチェックし、受信したパケットを通過させるか廃棄するかを判断する(ステップＳ１０３)。
【００４９】
ステップＳ１０３において受信パケットがフィルタポリシに該当しなかった場合、セッション登録部３２１が当該受信パケットについての通信セッションをフローテーブル３６に登録し、フィルタ部３３は、受信パケットをＱｏＳ部３４に送信する(ステップＳ１０４)。
【００５０】
ただし、セッション登録部３２１は、ＳＩＰサーバへの呼接続要求(SIP
Request)の応答でＳＩＰ  Ｒｅｓｐｏｎｓｅが２００ ＯＫで返信された場合に通信セッションを登録し、ＳＩＰ Ｒｅｑｕｅｓｔ  受信時やＳＩＰ Ｒｅｓｐｏｎｓｅ  でＮＧを受信した場合には通信セッションを登録しない。
【００５１】
一方、ステップＳ１０２において通信セッションが管理されていた場合は、呼接続済みであるためステップＳ１０３〜ステップＳ１０４をスキップし、フロー検索部３２は、受信パケットをＱｏＳ部３４に送信する。
【００５２】
次いで、ＱｏＳ部３４は、フロー検索部３２又はフィルタ部３３からパケットを受信すると、受信したパケットに付されている装置内ヘッダ３１１を用いて転送されたＣＯＳ値のSpare領域の情報に基づいて、受信したパケットの優先度を判定する（ステップＳ１０５）。
【００５３】
すなわち、ＱｏＳ部３４は、ステップＳ１０５において、ＣＯＳ値のSpare領域の情報を参照してＳｐａｒｅフラグが用いられているか否かをチェックすることによって、受信したパケットが緊急呼であるか否かの識別を行う。
【００５４】
また、ＱｏＳ部３４は、ステップＳ１０５において、緊急呼以外の一般呼やベストエフォートデータの種別を識別し、おのおのの種別に応じて装置内ヘッダ３１１の優先度表示フィールド等へＣＯＳ値や優先度を示す情報をマッピングし、また、ＴＯＳフィールド等へのマーキングも行う。
【００５５】
ステップＳ１０５において緊急呼の場合、ＱｏＳ部３４は、当該受信したパケットに対して他のパケットより優先的に帯域を確保する制御を行う（ステップＳ１０６）。
【００５６】
ステップＳ１０５において一般呼やベストエフォートのデータ処理の場合、緊急呼に対して非優先となるため、ＱｏＳ部３４は、レートリミットによる帯域制御を行う（ステップＳ１０７、ステップＳ１０８）。
【００５７】
ステップＳ１０５〜ステップＳ１０８が完了すると、ルーティング部３５は、ＱｏＳ部３４からパケットを受信することによってフォワーディングテーブル３８を検索し、スイッチング部４０が出力先のライン部２０を適切に決定するための上記ＩＰフォワード処理を行い（ステップＳ１１０）、スイッチング部４０に当該パケットを送信する。
【００５８】
次に、スイッチング部でスイッチングされたパケットをＳＢＣ機能部が受信した際の動作を説明する。
【００５９】
図７は、本実施の形態によるレイヤ２スイッチのＳＢＣ機能部がスイッチング部でスイッチングされたパケットを受信した際の動作を示すフローチャートである。
【００６０】
まず、ＳＢＣ機能部３０は、スイッチングされたパケットをスイッチング部４０から受信すると、ＱｏＳ部３４が、受信したパケットに付されている装置内ヘッダ３１１を参照し、上記ステップＳ１０５と同様に、装置内ヘッダ３１１内のＣＯＳ値のSpare領域の情報に基づいて、受信したパケットの優先度を判定する（ステップＳ２０１）。
【００６１】
ステップＳ２０１において緊急呼の場合、ＱｏＳ部３４は、当該受信したパケットに対して他のパケットより優先的に帯域を確保する制御を行う（ステップＳ２０２）。
【００６２】
ステップＳ２０１において一般呼やベストエフォートのデータ処理の場合、緊急呼に対して非優先となるため、ＱｏＳ部３４は、レートリミットによる帯域制御を行う（ステップＳ２０３、ステップＳ２０４）。
【００６３】
次いで、レイヤ２生成部３９は、ＱｏＳ部３４からパケットを受信すると、レイヤ２ヘッダのＶＬＡＮタグ内のＣＯＳ値を、レイヤ２終端部３１が当該パケットを回線５０から受信した際のＣＯＳ値に戻してレイヤ２ヘッダを生成し、生成したレイヤ２ヘッダを当該受信したパケットに付与して回線５０へ出力する（ステップＳ２０５）。
【００６４】
（第１の実施の形態の効果）
以上説明したように、本実施の形態によれば、以下に記載するような効果を奏する。
【００６５】
第１の効果は、フロー検索部３２がフローテーブル３６に基づいて受信フローの識別を行うことによって呼接続中のユーザの通信セッションを管理しているので、ユーザの通信単位で優先制御ができることである。
【００６６】
第２の効果は、受信フレームのＶＬＡＮタグの終端処理を行ってＶＬＡＮタグ内のＣＯＳ値のSpare領域の情報を抽出して優先度を判別し、装置内ヘッダ３１１を用いて優先度の情報を伝達することによりレイヤレベル２において緊急呼の識別を行い、緊急呼の帯域を優先的に確保して呼接続を行っているので、アクセス集約時にレイヤレベル２において緊急呼の優先制御ができることである。従って、レイヤレベル２において、一般の呼で帯域が占有されることを防止して、緊急呼の接続を優先的に行うことができるため、緊急呼が廃棄される可能性が減少する。
【００６７】
以上好ましい実施の形態をあげて本発明を説明したが、本発明は必ずしも、上記実施の形態に限定されるものでなく、その技術的思想の範囲内において様々に変形して実施することができる。
【産業上の利用可能性】
【００６８】
ＮＧＮ（Next Generation Network）に向けたサービスを実現するためのＩＰ電話通信にも適用できる。
【図面の簡単な説明】
【００６９】
【図１】本発明の第１の実施の形態によるレイヤ２スイッチの構成を示すブロック図である。
【図２】第１の実施の形態によるレイヤ２スイッチのＳＢＣ機能部の構成を示すブロック図である。
【図３】第１の実施の形態によるＶＬＡＮタグの構成を説明する図である。
【図４】第１の実施の形態による装置内ヘッダの構成例を示す図である。
【図５】第１の実施の形態によるスイッチ部４０のハードウェア構成を示すブロック図である。
【図６】第１の実施の形態によるレイヤ２スイッチのＳＢＣ機能部が緊急呼を識別する際の動作を示すフローチャートである。
【図７】第１の実施の形態によるレイヤ２スイッチのＳＢＣ機能部がスイッチング部でスイッチングされたパケットを受信した際の動作を示すフローチャートである。
【符号の説明】
【００７０】
１０：レイヤ２スイッチ部
２０：ライン部
３０：ＳＢＣ機能部
３１：レイヤ２終端部
３１１：装置内ヘッダ
３２：フロー検索部
３２１：セッション登録部
３３：フィルタ部
３４：ＱｏＳ部
３５：ルーティング部
３６：フローテーブル
３７：フィルタテーブル
３８：フォワーディングテーブル
３９：レイヤ２生成部
４０：スイッチング部
５０：回線
６０１：ＣＰＵ
６０２：主記憶部
６０３：通信制御部
６０４：提示部
６０５：入力部
６０６：インタフェース部
６０７：補助記憶部
６０８：システムバス
【図１】
2007274467.tif 000003
【図２】
2007274467.tif 000004
【図３】
2007274467.tif 000005
【図４】
2007274467.tif 000006
【図５】
2007274467.tif 000007
【図６】
2007274467.tif 000008
【図７】
2007274467.tif 000009